(57)【特許請求の範囲】
【請求項１】
携帯電話機の内蔵二次電池を充電するための携帯電話機用充電装置であって、
長手方向に直交する２つの面が細長の矩形状の細長面に形成された直方体状の本体と、
前記２つの細長面の一方の細長面及び面積が一番大きな２つの大面の一方の大面からそれぞれ突出するとともに前記本体より突出せぬよう前記本体の中に収容可能に前記本体に揺動自在に設けられ、前記内蔵二次電池に接続可能でかつ前記携帯電話機に直接接続される携帯電話機側コネクタと、
前記２つの細長面の他方の細長面及び前記一方の大面からそれぞれ突出するとともに前記本体より突出せぬよう前記本体の中に収容可能に前記本体に揺動自在に設けられ、一次電源に直接接続される一次電源側コネクタと、
前記本体に埋設されたコンバータと、
該コンバータと前記携帯電話機側コネクタとの間に配設された充電池と、を備えたことを特徴とする携帯電話機用充電装置。
【発明の詳細な説明】
【０００１】
【発明の属する技術分野】
本発明は、携帯電話機用充電装置に関するものである。
【０００２】
【従来の技術】
従来より携帯電話機の内蔵二次電池を充電する為の装置として、携帯電話機本体の付属品として販売される充電装置が広く利用されている。
図１乃至図２に示したごとく、この充電装置１００は，一次電源２００となる家庭用電源である交流１００ボルトを直流に整流するとともに、携帯電話機用の所定電圧に下げるコンバータ１１と、その出力を携帯電話機３００の充電用電源端子を含んだコネクタ部に接続可能な携帯電話機側コネクタ１１０と、を備えている。
【０００３】
【発明が解決しようとする課題】
しかしながら、有線タイプ携帯電話用充電装置は、家庭用電源や車の電源等を必要とするため、屋外で携帯電話機の電池が切れた場合のような  緊急時では電源がないため、再充電には利用できないものであった。
【０００４】
【課題を解決するための手段】
上記問題を解決するため、本発明の携帯電話機の内蔵二次電池を充電するための携帯電話機用充電装置は、長手方向に直交する２つの面が細長の矩形状の細長面に形成された直方体状の本体と、前記２つの細長面の一方の細長面及び面積が一番大きな２つの大面の一方の大面からそれぞれ突出するとともに前記本体より突出せぬよう前記本体の中に収容可能に前記本体に揺動自在に設けられ、前記内蔵二次電池に接続可能でかつ前記携帯電話機に直接接続される携帯電話機側コネクタと、前記２つの細長面の他方の細長面及び前記一方の大面からそれぞれ突出するとともに前記本体より突出せぬよう前記本体の中に収容可能に前記本体に揺動自在に設けられ、一次電源に直接接続される一次電源側コネクタと、前記本体に埋設されたコンバータと、該コンバータと前記携帯電話機側コネクタとの間に配設された充電池と、を備える構造とした。
【０００５】
【発明の実施の形態】
以下に，図３乃至図４を参照しつつ、Ｃの第１の実施形態について説明する。
図３に見られるごとく、携帯電話機の内蔵二次電池を充電するための携帯電話機用充電装置は、本体１００Ａと、携帯電話機の内蔵二次電池に接続可能で且つ該本体に設けられた携帯電話機側コネクタ１１０Ａと、家庭用１００ボルトの一次電源２００に接続可能で且つ本体１００Ａに揺動自在に設けられた一次電源側コネクタ１３０Ａと、本体１００Ａに埋設され且つ１００Ｖを約７〜８Ｖの直流電圧に変圧するＡＣ／ＤＣコンバータ１１Ａと、ＡＣ／ＤＣコンバータ１１Ａと携帯電話機側コネクタ１１０Ａとの間に配設され且つ約３．７Ｖの直流電圧を出力可能な充電池１２０Ａと、を備えている。
【０００６】
家庭内で本発明の携帯電話機用充電装置を利用する場合には、通常のアダプタと同様な手順により、一次電源より携帯電話機の内蔵二次電池を充電できる。一方、屋外での緊急充電が必要となった場合には、上述の一次電源により充電された携帯電話機用充電装置の本体内に埋設された内蔵充電池１２０Ａを利用して、一時的に携帯電話機の内蔵二次電池を充電できる。
【０００７】
以下に，図５を参照しつつ、本発明の携帯電話機用充電装置の第２の実施形態について説明する。図５に見られるごとく、携帯電話機の内蔵二次電池を充電するための携帯電話機用充電装置は、長手方向に直交する２つの面が細長の矩形状の細長面に形成された直方体状の本体１００Ｂと、本体１００Ｂの２つの細長面の一方の細長面及び面積が一番大きな２つの大面の一方の大面からそれぞれ突出するとともに本体１００Ｂより突出せぬよう本体１００Ｂの中に収容可能に本体１００Ｂに揺動自在に設けられ、携帯電話機の内蔵二次電池に接続可能でかつ携帯電話機に直接接続される携帯電話機側コネクタ１１０Ｂと、本体１００Ｂの２つの細長面の他方の細長面及び一方の大面からそれぞれ突出するとともに本体１００Ｂより突出せぬよう本体１００Ｂの中に収容可能に本体１００Ｂに揺動自在に設けられ、かつ、家庭用１００ボルトの一次電源２００に直接接続される一次電源側コネクタ１３０Ｂと、本体１００Ｂに埋設され且つ１００Ｖを約７〜８Ｖの直流電圧に変圧するＡＣ／ＤＣコンバータ１１Ｂと、ＡＣ／ＤＣコンバータ１１Ｂと携帯電話機側コネクタ１１０Ｂとの間に配設され且つ約３．７Ｖの直流電圧を出力可能な充電池１２０Ｂと、を備えている。本実施例における内蔵構造や作動方法は、第１実施例と同様なので、その説明を省略する。
【０００８】
以下に，図６を参照しつつ、本発明の携帯電話機用充電装置の第３の実施形態について説明する。
図６に見られるごとく、携帯電話機の内蔵二次電池を充電するための携帯電話機用充電装置は、本体１００Ｃと、携帯電話機の内蔵二次電池に接続可能で且つ該本体に揺動自在に設けられた携帯電話機側コネクタ１１０Ｃと、車などのシガーソケット等を介して得られ直流１２ボルトの一次電源２００に接続可能で且つ本体１００Ｃに設けられた一次電源側コネクタ１３０Ｃと、本体１００Ｃ埋設され且つ１２Ｖを約７〜８Ｖの直流電圧に変圧するＤＣ／ＤＣコンバータ１１Ｃと、ＤＣ／ＤＣコンバータ１１Ｃと携帯電話機側コネクタ１１０Ｃとの間に配設され且つ約３．７Ｖの直流電圧を出力可能な充電池１２０Ｃと、を備えている。
本実施例における内蔵構造や作動方法は、第１実施例とほぼ同様であり、当業者が容易に理解できるので、その説明を省略する。
【０００８】
以下に，図７を参照しつつ、本発明の携帯電話機用充電装置の第７の実施形態について説明する。
図７に見られるごとく、携帯電話機の内蔵二次電池を充電するための携帯電話機用充電装置は、本体１００Ｄと、携帯電話機の内蔵二次電池に接続可能で且つ該本体に揺動自在に設けられた携帯電話機側コネクタ１１０Ｄと、車などのシガーソケット等を介して得られ直流１２ボルトの一次電源２００に接続可能で且つ本体１００Ｄに設けられた一次電源側コネクタ１３０Ｄと、本体１００Ｄ埋設され且つ１２Ｖを約７〜８Ｖの直流電圧に変圧するＤＣ／ＤＣコンバータ１１Ｄと、ＤＣ／ＤＣコンバータ１１Ｃと携帯電話機側コネクタ１１０Ｄとの間に配設され且つ約３．７Ｖの直流電圧を出力可能な充電池１２０Ｄと、を備えている。
本実施例における内蔵構造や作動方法は、第１実施例とほぼ同様であり、当業者が容易に理解できるので、その説明を省略する。
【０００９】
上述の実施例においては、本体に充電池を埋設される構成としたが、充電池が経年劣化した際に取り替え可能な構造に適宜変更可能であることはいうまでもない。  また、実施例では、コンバータ並びに充電池の出力を約７〜８Ｖ並びに約３．７Ｖとしたが、これらの数値は適宜選択可能であることはいうまでもない。
【００１２】
【発明の効果】
本発明の携帯電話機用充電装置は、携帯電話機の内蔵二次電池を充電するための携帯電話機用充電装置であって、長手方向に直交する２つの面が細長の矩形状の細長面に形成された直方体状の本体と、前記本体の長手方向に直交する一方の面から突出するとともに前記本体より突出せぬよう前記本体の中に収容可能に前記本体に揺動自在に設けられ、前記内蔵二次電池に接続可能でかつ前記携帯電話機に直接接続される携帯電話機側コネクタと、前記本体の長手方向に直交する他方の面から突出するとともに前記本体より突出せぬよう前記本体の中に収容可能に前記本体に揺動自在に設けられ、一次電源に直接接続される一次電源側コネクタと、前記本体に埋設されたコンバータと、該コンバータと前記携帯電話機側コネクタとの間に配設された充電池と、を備える構造とした。携帯電話機用充電電池は、携帯電話機の端子部に接続可能なコネクターを備える構造としたので、野外での携帯電話機の電池切れに対応可能となる。また、前記携帯電話機側コネクタと前記一次電源側コネクタが前記本体よりそれぞれ突出せぬよう、前記本体の中に収容可能となる。
【図面の簡単な説明】
【図１】図１は、従来の携帯電話機用充電装置の斜視図である。
【図２】図２は、従来の携帯電話機用充電装置の内部構成の概略図である。
【図３】図３は、本発明の携帯電話機用充電装置の第１実施例の斜視図である。
【図４】図４は、本発明の携帯電話機用充電装置の第１実施例の内部構成の概略図である。
【図５】図５は、本発明の携帯電話機用充電装置の第２実施例の斜視図である。
【図６】図６は、本発明の携帯電話機用充電装置の第３実施例の斜視図である。
【図７】図７は、本発明の携帯電話機用充電装置の第４実施例の斜視図である。
【符号の説明】
１００Ａ  携帯電話機用充電装置の本体
１１      コンバータ
１１０    携帯電話機側コネクタ
１３０    一次電源側コネクタ
１２０    充電池
【図１】
0004660845.tif 000002
【図２】
0004660845.tif 000003
【図３】
0004660845.tif 000004
【図４】
0004660845.tif 000005
【図５】
0004660845.tif 000006
【図６】
0004660845.tif 000007
【図７】
0004660845.tif 000008